(57)【要約】【課題】畜舎に敷設される敷料の取り替えや畜舎の清掃が容易であり、雑菌や蛆虫などの繁殖を抑えて衛生的であり、さらに使用後床マットが家畜の排泄物とともに堆肥化され再利用することができる畜舎用床マットを安価に提供する。【解決手段】植物油を用いて軟繊化されたジュート糸からなるたて糸２とよこ糸３を製織して得られたヘッシャンクロス１からなり、該ヘッシャンクロス１の質量が１８０〜２８０ｇ／ｍ２である畜舎用床マット１０。この床マット１０は、木酢液を含浸させたものが好ましく、特に子牛育成用のカーフハッチの床マットに好適である。【選択図】図１
2007259818.tif 000002
【特許請求の範囲】
【請求項１】
植物油を用いて軟繊化されたジュート糸を製織して得られた麻布からなり、該麻布の質量が１８０〜２８０ｇ／ｍ２である
ことを特徴とする畜舎用床マット。
【請求項２】
前記麻布が木酢液を含浸させたものである
ことを特徴とする請求項１に記載の畜舎用床マット。
【請求項３】
子牛育成用のカーフハッチの床マットに使用される
ことを特徴とする請求項１又は２に記載の畜舎用床マット。
【発明の詳細な説明】
【技術分野】
【０００１】
本発明は、牛や馬等の畜舎の床に敷設する床マットに関し、さらに詳しくは、透水性が良好で衛生的で安全性に優れ、敷料の取り替えや畜舎の清掃が容易であり、かつ使用後床マットは家畜の排泄物とともに堆肥化することができる畜舎用床マットに関する。
【背景技術】
【０００２】
牛や馬、豚等の畜舎の床は、地面やコンクリート床に直接、若しくは玉砂利を敷き詰めた上にワラやおが屑などの敷料を敷き詰めるものが一般的であるが、近年の口蹄疫、ＢＳＥ、鳥インフルエンザなどの家畜病害が多発するなか、家畜の病気予防、飼育環境の改善が畜産業界において急務となっている。
【０００３】
例えば、子牛の育成用に用いられるカーフハッチでは、誕生後母牛から離乳された子牛を病気や自然環境から守り、十分な栄養を与えて順調に発育させるために子牛を１頭ずつ育成する小屋状の畜舎であるが、このハッチの床面は地面に直接、若しくは地面に玉砂利などを敷き詰めた上に直接敷料を敷き詰めている。この敷料は子牛が動き回ることにより、子牛の排泄物と共に床面の土や砂利と一体化してしまい非衛生的で雑菌やカビ、蛆虫等が繁殖しやすい状況にあり、その取り替えや清掃が困難であるため通常子牛の育成期間が終わる５０〜６０日間は取り替えられずに継続し使用されるのが実状である。
【０００４】
このような畜舎の床に敷設する床マットとして、透水性を持たせたゴムチップ製マットの表面に、直径３〜５ｃｍの穴を一定間隔で明けたゴム板を組み込んだマットで、スクレーパーが表面を移動しやすく、家畜が冷えにくく、透水性があって滑りにくいようにし、家畜にストレスをかけることのないようにしたマットが提案されている（例えば、特許文献１）が、マットに多数の穴を設けて透水性を確保しているため、この穴に雑菌やカビが繁殖しやすく、衛生を保つためにはマットを頻繁に洗浄する必要があり、またマットの価格が高くなるという問題がある。
【特許文献１】実用新案登録第３０８７９５１号公報
【発明の開示】
【発明が解決しようとする課題】
【０００５】
本発明は、上記したような従来事情に鑑みてなされたものであり、畜舎に敷設される敷料の取り替えや畜舎の清掃が容易であり、雑菌や蛆虫などの繁殖を抑えて衛生的であり、さらに使用後床マットが家畜の排泄物とともに自然分解され堆肥化され再利用することができる畜舎用床マットを安価に提供することを目的とするものである。
【課題を解決するための手段】
【０００６】
上記課題を解決する本発明の畜舎用床マットは、植物油を用いて軟繊化されたジュート糸を製織して得られた麻布からなり、該麻布の質量が１８０〜２８０ｇ／ｍ２であることを特徴とする。
【０００７】
さらに、本発明の畜舎用床マットは、前記麻布が木酢液を含浸させたものが好ましい。
【０００８】
そして、本発明の畜舎用床マットは、子牛育成用のカーフハッチの床マットに好適に使用することができる。
【発明の効果】
【０００９】
本発明の畜舎用床マットによれば、マットの素材である麻布の軟繊化処理が家畜に無害な植物油を用いることで家畜に対する安全性を向上し、また従来の軟繊化に使用される鉱物油のように刺激臭がなく飼育環境を向上し家畜にストレスを与えることがない。また、麻布の質量を１８０〜２８０ｇ／ｍ２とすることで、床マットの透水性と耐久性（強度）とを両立し、使用中の乾燥状態や保温性を高めて衛生度を確保し、かつ使用後の敷料の取り替えを床マットとともに搬出することで容易となり、畜舎の清掃を簡便化、短時間化し作業の負担を大幅に軽減することができる。さらに排泄物と共に床マットは短時間で自然分解され堆肥化し有機肥料として再利用することができ、環境汚染などの問題を起こすことがない。
【００１０】
また、床マットに木酢液を含浸させることで、殺菌、消臭、昆虫等の忌避効果を発現し雑菌や蛆虫、昆虫類の繁殖を抑えて畜舎内の衛生状態や飼育環境をより向上し、家畜の病気予防やストレスを解消することができる。
【発明を実施するための最良の形態】
【００１１】
以下、本発明に係る実施形態の畜舎用床マットを、子牛育成用のカーフハッチに適用した例に基づいて説明する。なお、本発明の主旨を逸脱しない限りこの実施形態によって本発明は何ら限定されるものではない。
【００１２】
本発明の畜舎用床マット（以下、床マットという）は、地面やコンクリート床、或いは玉砂利等を敷き詰めた畜舎の床に敷設され、その床マットの上にワラやおが屑などの敷料を敷き詰め使用されるものである。
【００１３】
本発明の床マットは軟繊化されたジュート糸を製織して得られた図１に示すヘッシャンクロス１からなる麻布が用いられる。
【００１４】
このヘッシャンクロス１は軟繊処理されたジュート繊維が使用される。この軟繊加工は従来からの公知の方法によるもので、この軟繊化によりジュート糸の製紡や製織の加工性を向上するとともに、麻布の柔軟性や保温性を向上し畜舎の床マットとしての居住環境を改善することができる。
【００１５】
本発明の床マットに用いられるヘッシャンクロス１は、従来からジュート糸の軟繊加工に用いられていたパラフィン系や芳香族系など石油系の鉱物油に代えて、植物油を用いた軟繊加工が行われる。これにより、ヘッシャンクロスは鉱物油特有の刺激臭や異臭がなくなり、家畜の飼育環境を向上するとともに、家畜に対して無害となりヘッシャンクロス１を口にしても下痢等の発症を抑えるものとなる。
【００１６】
この植物油としては、大豆油、菜種油、オリーブ油、トウモロコシ油、綿実油、米油、落花生油、胡麻油、椿油などが挙げられ、特に、家畜が口にしても無害である食用油として用いられる油が好ましい。その給油量は特に限定されないが、ジュート繊維量に対して５％程度以内であることが好ましい。
【００１７】
この軟繊化されたジュート繊維は、カードおよび紡機にかけて製紡工程を経て所定の太さのジュート糸が得られる。このジュート糸をたて糸２とよこ糸３に所定の打ち込み密度で配して平織物に製織し、図１に示すヘッシャンクロス１とする。
【００１８】
本発明の床マット１０は、上記ヘッシャンクロス１からなり、その質量（目付）が１８０〜２８０ｇ／ｍ２であるものが使用される。
【００１９】
このヘッシャンクロス１の質量は、用いられるジュート糸の太さとたて糸２及びよこ糸３の打ち込み密度により決まるものであるが、畜舎の床に敷設して家畜の体重や移動、或いは排泄物の重量に対する耐久性（強度）および尿水を透過させる透水性とを両立させ、さらに使用後の堆肥化に際して短時間で自然分解させることから前記範囲とする。
【００２０】
上記ヘッシャンクロス１の質量が１８０ｇ／ｍ２未満であると、透水性は良好であるが、強度が低下し耐久性が得られず、家畜の体重や移動により、またその排泄物の重量により破損しやすくなり、使用後に家畜の排泄物とともに畜舎から床マットを引き出す際に破れやすくなり作業性が低下する。一方、２８０ｇ／ｍ２を超えるとや強度は十分で耐久性を満足するが、糸間の目合いが詰まりすぎて透水性が悪化し尿水の流れが悪くなって非衛生となり、また使用後の床マット１０の分解速度も遅くなるので堆肥化に長時間を要し好ましくない。
【００２１】
この場合、たて糸２とよこ糸３の打ち込み密度は、共に２０〜４０本／１０ｃｍ程度であり、たて糸２とよこ糸３の密度は同じであっても、異なるものであってもよい。また、たて糸２とよこ糸３の太さも同じであっても、異なっていてもよい。この打ち込み密度や糸太さは、畜舎の構造や規模、設置場所、或いは気候や季節に応じて上記質量範囲内で適宜設定することができる。
【００２２】
従って、ヘッシャンクロス１の質量を上記範囲とすることで、これを用いた床マット１０の透水性を確保して家畜の尿水を流し、糞は床マット１０上に保持することで、畜舎の床面を乾燥状態にして泥濘化を防ぎ、雑菌や蛆虫、昆虫等の繁殖を抑え衛生状態を保持することができる。また、排泄物で汚れた敷料を床マット１０ごと取り替えることで、敷料の取り替え作業や畜舎の清掃を容易にし短時間で行うことができ作業負担が大幅に軽減される。
【００２３】
さらに、ヘッシャンクロス１の分解速度が速く、２〜３ヶ月程度の期間で自然分解するので、使用後の床マット１０は排泄物と共に堆肥化が可能となり堆肥として再利用することができ、環境汚染の問題にも対応するものとなる。
【００２４】
本発明における床マット１０としては、例えば、ＪＩＳ  Ｌ３４０５（１９８７）に規定された７〜１０号程度の種類のヘッシャンクロスが好適に使用できる。
【００２５】
また、本発明の床マット１０は、ヘッシャンクロス１を木酢液（竹酢液を含む）に浸して吸着させ、しかる後に乾燥させ該木酢液を含浸させたものが使用できる。
【００２６】
上記木酢液は、木材を乾留して得られる酢酸を含む液体であり、広葉樹から収量される、例えばウバメガシを用いた木炭製造時に得られる木酢液が使用でき、もちろん市販品（例えば、新日本炭化工業（株）製の「純木酢液」）を利用することができる。
【００２７】
この木酢液の持つ殺菌、脱臭効果、昆虫忌避効果により、家畜の排泄物が混じった敷料や床マット自体、さらに床面の衛生状態を改善し、雑菌やカビ、蛆虫やアブラ虫やウンカ類の昆虫類の繁殖を抑制し病気予防や家畜のストレスを排除することができる。また、木酢液は、動物飼料の添加物としても用いられるもので家畜に対して無害である。
【００２８】
本発明の床マット１０においては、ヘッシャンクロス１への木酢液の含浸量は特に限定されることない。例えば、木酢液原液を水で５〜２５倍に希釈した溶液中にヘッシャンクロス１を浸漬し木酢液を含浸させ、その後乾燥し定着させて用いられる。含浸量を多くする場合は、浸漬と乾燥定着とを繰り返すことで実施できる。
【００２９】
木酢液原液の含浸量は、そのヘッシャンクロス１に対する付着量で６〜３０ｇ／Ｋｇ程度であることが好ましく、付着量が６ｇ／Ｋｇ未満では５０〜６０日の育成期間中に木酢成分が散逸しその効果が不充分であり、３０ｇ／Ｋｇを超えてもそれ以上の効果は得られず、コスト的に無駄となる。
【００３０】
以上のことから、本発明の床マット１０は、図２に示すように、畜舎の床面１３と敷料１１の仕切り材として使用することで、敷料の取り替えを容易とし、かつ衛生的な生育環境を創出することができる。特に、生まれたての子牛１２を病気の予防と自然環境から守りながら１匹ずつ個別に５０〜６０日間育成するのに用いられる、図２に示すカーフハッチ２０の床マット１０として好適である。
【００３１】
図に示すように、ハッチ２０の玉砂利などを散布した床面１３に本発明の床マット１０が敷設され、その上にワラなどの敷料１１が敷き詰められ、ハッチ２０毎に子牛１２が育成される。なお、床マット１０は、図に示すように、ハッチ２０内から前方に延長して敷設してもよい。
【００３２】
この床マット１０は５０〜６０日間の子牛飼育期間中は分解消失することがなく強度を維持するので、敷料１１の交換時に排泄物で汚れた敷料１１を載せた状態でハッチ２０から床マット１０を引き出し搬出することができる。これにより、従来は泥や砂利と一体化してしまった敷料の搬出が困難であった取り替え作業を容易かつ完全に、処理労力や時間をかけず安価に行うことができ、作業の合理化と環境衛生の向上を図ることができる。また、床面の状態が良好に維持されるので同一の場所にハッチ２０を再度設置できるようになる。
【００３３】
また、床マット１０は天然繊維からなる麻布を素材とするので、敷料１１や排泄物と共に堆肥化施設に搬出し、堆積することで２〜３ヶ月で自然分解し堆肥化され、有機肥料として再利用することができるという２次的効果が得られる。さらに、床マット１０の素材が安価であるので、堆肥化による使い捨て使用としても畜産家の負担は少なく、従来の敷料の取り替えや清掃作業の労力に対して大幅に合理的となる。
【００３４】
さらに、寒冷地では、畜舎の床面に本発明の床マット１０を敷設することで、冬場にコンクリートなどの床面に直に横たわることによる冷えから家畜を守り、風邪や下痢、ストレスの原因を取り除くことで病気予防と生育促進を図ることができる。特に、北海道など冬期の気温が−２０〜−１０℃になる地域でも、床マット１０を２枚重ねて敷設することで、床面の体感温度を上昇させ家畜が好んで横たわる環境を得ることができる。
【産業上の利用可能性】
【００３５】
以上の通り、本発明の畜舎用床マットは、牛、馬、豚等の畜舎、鶏や鴨などの鶏舎の床マットとして使用でき、特に子牛育成用のカーフハッチの床マットとして好適である。また、畜舎から牧場への通路などのマットとしても利用することができる。
【図面の簡単な説明】
【００３６】
【図１】実施形態のヘッシャンクロス（床マット）を示す平面図である。
【図２】カーフハッチの１例を示す、ハッチの一部を切り欠いた概略図である。
【符号の説明】
【００３７】
１……ヘッシャンクロス
２……たて糸
３……よこ糸
１０……床マット
１１……敷料
１２……子牛
１３……床面
２０……カーフハッチ
【図１】
2007259818.tif 000003
【図２】
2007259818.tif 000004